(57)【要約】【課題】ＩＰ網において同一輻輳に対する二重制御を防止するトラヒック制御システム及びトラヒック制御方法を提供することを課題とする。【解決手段】加入者呼制御装置２が、ＩＰ電話１から発信された発信呼に対して輻輳制御を行った後に、輻輳制御が実施済みであることを示す独自ヘッダを発信呼のＳＩＰメッセージに追加して、第１の中継呼制御装置３に中継し、第１の中継呼制御装置３が、加入者呼制御装置２から中継された発信呼のＳＩＰメッセージに独自ヘッダが追加されている場合には、輻輳制御を行うことなく発信呼を第２の中継呼制御装置４に透過に中継する。【選択図】図１
2010252138.tif 000002
【特許請求の範囲】
【請求項１】
ＩＰ端末から発信された発信呼を前位で中継する第１の呼制御装置と後位で中継する第２の呼制御装置とを備え、同一輻輳に対する二重制御を防止するトラヒック制御システムにおいて、
前記第１の呼制御装置は、
記憶手段に記憶された前記発信呼を読み出して、当該発信呼に対して輻輳制御を行う輻輳制御手段と、
輻輳制御が実施済みであることを示す制御済みヘッダを前記発信呼のＳＩＰメッセージに追加する設定手段と、
前記制御済みヘッダを追加した前記発信呼を前記第２の呼制御装置に中継する中継手段と、を有し、
前記第２の呼制御装置は、
前記第１の呼制御装置から中継された前記発信呼のＳＩＰメッセージに前記制御済みヘッダが追加されているか否かを判定する判定手段と、
前記制御済みヘッダが追加されている場合には、輻輳制御を行うことなく前記発信呼を中継する中継手段と、
を有することを特徴とするトラヒック制御システム。
【請求項２】
前記第２の呼制御装置は、
前記制御済みヘッダが追加されている場合に、前記第１の呼制御装置の第１の制御コードと前記第２の呼制御装置の第２の制御コードとを比較して、
前記第１の制御コードが前記第２の制御コードよりも短桁の場合には、前記第１の呼制御装置で輻輳制御が行われていないものとして、前記発信呼に対して輻輳制御を行った後に中継し、
前記第１制御コードが前記第２制御コードよりも長桁又は同桁の場合には、前記第１の呼制御装置で輻輳制御が行われているものとして、輻輳制御を行うことなく中継することを特徴とする請求項１に記載のトラヒック制御システム。
【請求項３】
前記制御済みヘッダには、前記第１の制御コードが含まれるものであって、
前記第２の呼制御装置は、
前記発信呼に対して輻輳制御を行った後に、当該第１の制御コードを前記第２の制御コードに書き換えることを特徴とする請求項２に記載のトラヒック制御システム。
【請求項４】
前記第１の呼制御装置は、
トラヒック監視制御システムから通知された第１の制御コードを記憶しておき、前記発信呼の着番号が当該第１の制御コードに一致し、輻輳制御されていない場合に、前記発信呼に対して前記輻輳制御を行うことを特徴とする請求項１乃至３のいずれか１項に記載のトラヒック制御システム。
【請求項５】
追加された前記制御済みヘッダは、ＩＰ網の境界に設置されたゲートウェイで削除されることを特徴とする請求項１乃至４のいずれか１項に記載のトラヒック制御システム。
【請求項６】
ＩＰ端末から発信された発信呼を前位で中継する第１の呼制御装置と後位で中継する第２の呼制御装置とを備え、同一輻輳に対する二重制御を防止するトラヒック制御方法において、
前記第１の呼制御装置により、
記憶手段に記憶された前記発信呼を読み出して、当該発信呼に対して輻輳制御を行うステップと、
輻輳制御が実施済みであることを示す制御済みヘッダを前記発信呼のＳＩＰメッセージに追加するステップと、
前記制御済みヘッダを追加した前記発信呼を前記第２の呼制御装置に中継するステップと、を有し、
前記第２の呼制御装置により、
前記第１の呼制御装置から中継された前記発信呼のＳＩＰメッセージに前記制御済みヘッダが追加されているか否かを判定するステップと、
前記制御済みヘッダが追加されている場合には、輻輳制御を行うことなく前記発信呼を中継するステップと、
を有することを特徴とするトラヒック制御方法。
【請求項７】
ＩＰ端末から発信された発信呼を前位で中継する第１の呼制御装置と後位で中継する第２の呼制御装置とを備え、同一輻輳に対する二重制御を防止するトラヒック制御方法において、
前記第１の呼制御装置により、
記憶手段に記憶された前記発信呼を読み出して、当該発信呼に対して輻輳制御を行うステップと、
輻輳制御が実施済みであることを示す制御済みヘッダを前記発信呼のＳＩＰメッセージに追加するステップと、
前記制御済みヘッダを追加した前記発信呼を前記第２の呼制御装置に中継するステップと、を有し、
前記第２の呼制御装置により、
前記第１の呼制御装置から中継された前記発信呼のＳＩＰメッセージに前記制御済みヘッダが追加されているか否かを判定するステップと、
前記制御済みヘッダが追加されている場合に、前記第１の呼制御装置の第１の制御コードと前記第２の呼制御装置の第２の制御コードとを比較するステップと、
前記第１の制御コードが前記第２の制御コードよりも短桁の場合には、前記第１の呼制御装置で輻輳制御が行われていないものとして、前記発信呼に対して輻輳制御を行った後に中継するステップ、
前記第１制御コードが前記第２制御コードよりも長桁又は同桁の場合には、前記第１の呼制御装置で輻輳制御が行われているものとして、輻輳制御を行うことなく中継するステップと、
を有することを特徴とするトラヒック制御方法。
【発明の詳細な説明】
【技術分野】
【０００１】
本発明は、ＩＰ網におけるトラヒック制御システム及びトラヒック制御方法に関する。
【背景技術】
【０００２】
従来、ＰＳＴＮ（Public Switched Telephone Networks）網においては、転送されてきた呼に対して輻輳制御を実施する輻輳制御交換機が具備されている。この輻輳制御交換機は、当該輻輳に対して、既に前位の交換機で輻輳制御を受けた呼か、又は輻輳制御を受けていない呼かを識別し、既に制御を受けた呼に対しては、同一輻輳に対する二重制御を抑制することが可能となっている。
【０００３】
すなわち、前位の交換機から輻輳制御済み通知情報パラメータを含まないアドレスメッセージを受信した場合には、当該輻輳に対する輻輳制御を実施し、そのアドレスメッセージに輻輳制御済み通知情報パラメータを設定した後に、後位の交換機に送出する。なお、輻輳制御済み通知情報パラメータの輻輳制御対象外桁数には、着番号パラメータに含まれるアドレス情報（輻輳制御交換機からの発信時は、着番号パラメータに設定するアドレス情報）の全桁数から、制御対象番号の桁数を引いた値が設定されるようになっている。
【０００４】
一方、前位の交換機から輻輳制御済み通知情報パラメータを含むアドレスメッセージを受信した場合には、以下の動作を行うようになっている。
【０００５】
具体的には、その輻輳制御済み通知情報パラメータに含まれる輻輳制御対象外桁数が、当該輻輳制御交換機において実施しようとする輻輳制御の制御外対象桁数よりも小さい又は合致する場合には、前位の交換機において当該輻輳制御が既に実施された、又は更に厳しい制御を受けていると識別し、輻輳制御を実施することなく、前位の交換機から受信した呼を透過に後位の交換機に送出する。
【０００６】
一方、輻輳制御済み通知情報パラメータに含まれる輻輳制御対象外桁数が、当該輻輳制御交換機において実施しようとする輻輳制御の制御外対象桁数よりも大きい場合には、前位の交換機から受信した呼に対して輻輳制御を実施し、輻輳制御済み通知情報パラメータに含まれる輻輳制御対象外桁数を新しい情報に上書きした後に、後位の交換機に送出する。
【０００７】
なお、このような輻輳制御に関する技術については、特許文献１に開示されている。
【先行技術文献】
【特許文献】
【０００８】
【特許文献１】特開平５−２２４０６号公報
【発明の概要】
【発明が解決しようとする課題】
【０００９】
すなわち、ＰＳＴＮ網のＩＳＵＰ信号では同一輻輳に対する二重制御を防止するためのパラメータが規定されているため、過規制を防止するための仕組みが備わっていたが、ＩＰ網についてはこのような二重制御の防止を実現する手段がなく、同一規制に対する二重規制を回避できないという問題があった。
【００１０】
本発明は、上記課題を鑑みてなされたものであり、ＩＰ網において同一輻輳に対する二重制御を防止するトラヒック制御システム及びトラヒック制御方法を提供することを課題とする。
【課題を解決するための手段】
【００１１】
請求項１に記載の本発明は、ＩＰ端末から発信された発信呼を前位で中継する第１の呼制御装置と後位で中継する第２の呼制御装置とを備え、同一輻輳に対する二重制御を防止するトラヒック制御システムにおいて、前記第１の呼制御装置は、記憶手段に記憶された前記発信呼を読み出して、当該発信呼に対して輻輳制御を行う輻輳制御手段と、輻輳制御が実施済みであることを示す制御済みヘッダを前記発信呼のＳＩＰメッセージに追加する設定手段と、前記制御済みヘッダを追加した前記発信呼を前記第２の呼制御装置に中継する中継手段と、を有し、前記第２の呼制御装置は、前記第１の呼制御装置から中継された前記発信呼のＳＩＰメッセージに前記制御済みヘッダが追加されているか否かを判定する判定手段と、前記制御済みヘッダが追加されている場合には、輻輳制御を行うことなく前記発信呼を中継する中継手段と、を有することを要旨とする。
【００１２】
請求項２に記載の本発明は、前記第２の呼制御装置は、前記制御済みヘッダが追加されている場合に、前記第１の呼制御装置の第１の制御コードと前記第２の呼制御装置の第２の制御コードとを比較して、前記第１の制御コードが前記第２の制御コードよりも短桁の場合には、前記第１の呼制御装置で輻輳制御が行われていないものとして、前記発信呼に対して輻輳制御を行った後に中継し、前記第１制御コードが前記第２制御コードよりも長桁又は同桁の場合には、前記第１の呼制御装置で輻輳制御が行われているものとして、輻輳制御を行うことなく中継することを要旨とする。
【００１３】
請求項３に記載の本発明は、前記制御済みヘッダには、前記第１の制御コードが含まれるものであって、前記第２の呼制御装置は、前記発信呼に対して輻輳制御を行った後に、当該第１の制御コードを前記第２の制御コードに書き換えることを要旨とする。
【００１４】
請求項４に記載の本発明は、前記第１の呼制御装置は、トラヒック監視制御システムから通知された第１の制御コードを記憶しておき、前記発信呼の着番号が当該第１の制御コードに一致し、輻輳制御されていない場合に、前記発信呼に対して前記輻輳制御を行うことを要旨とする。
【００１５】
請求項５に記載の本発明は、追加された前記制御済みヘッダは、ＩＰ網の境界に設置されたゲートウェイで削除されることを要旨とする。
【００１６】
請求項６に記載の本発明は、ＩＰ端末から発信された発信呼を前位で中継する第１の呼制御装置と後位で中継する第２の呼制御装置とを備え、同一輻輳に対する二重制御を防止するトラヒック制御方法において、前記第１の呼制御装置により、記憶手段に記憶された前記発信呼を読み出して、当該発信呼に対して輻輳制御を行うステップと、輻輳制御が実施済みであることを示す制御済みヘッダを前記発信呼のＳＩＰメッセージに追加するステップと、前記制御済みヘッダを追加した前記発信呼を前記第２の呼制御装置に中継するステップと、を有し、前記第２の呼制御装置により、前記第１の呼制御装置から中継された前記発信呼のＳＩＰメッセージに前記制御済みヘッダが追加されているか否かを判定するステップと、前記制御済みヘッダが追加されている場合には、輻輳制御を行うことなく前記発信呼を中継するステップと、を有することを要旨とする。
【００１７】
請求項７に記載の本発明は、ＩＰ端末から発信された発信呼を前位で中継する第１の呼制御装置と後位で中継する第２の呼制御装置とを備え、同一輻輳に対する二重制御を防止するトラヒック制御方法において、前記第１の呼制御装置により、記憶手段に記憶された前記発信呼を読み出して、当該発信呼に対して輻輳制御を行うステップと、輻輳制御が実施済みであることを示す制御済みヘッダを前記発信呼のＳＩＰメッセージに追加するステップと、前記制御済みヘッダを追加した前記発信呼を前記第２の呼制御装置に中継するステップと、を有し、前記第２の呼制御装置により、前記第１の呼制御装置から中継された前記発信呼のＳＩＰメッセージに前記制御済みヘッダが追加されているか否かを判定するステップと、前記制御済みヘッダが追加されている場合に、前記第１の呼制御装置の第１の制御コードと前記第２の呼制御装置の第２の制御コードとを比較するステップと、前記第１の制御コードが前記第２の制御コードよりも短桁の場合には、前記第１の呼制御装置で輻輳制御が行われていないものとして、前記発信呼に対して輻輳制御を行った後に中継するステップ、前記第１制御コードが前記第２制御コードよりも長桁又は同桁の場合には、前記第１の呼制御装置で輻輳制御が行われているものとして、輻輳制御を行うことなく中継するステップと、を有することを要旨とする。
【発明の効果】
【００１８】
本発明によれば、ＩＰ網において同一輻輳に対する二重制御を防止するトラヒック制御システム及びトラヒック制御方法を提供することができる。
【図面の簡単な説明】
【００１９】
【図１】本実施の形態に係るトラヒック制御システムの全体構成を示す図である。
【図２】加入者呼制御装置の機能ブロックを示す図である。
【図３】第１の中継呼制御装置の機能ブロックを示す図である。
【図４】加入者呼制御装置の処理フローを示す図である。
【図５】第１の中継呼制御装置の処理フローを示す図である。
【図６】実施例１におけるトラヒック制御システムの処理フローを説明するための図である。
【図７】実施例２におけるトラヒック制御システムの処理フローを説明するための図である。
【発明を実施するための形態】
【００２０】
図１は、本実施の形態に係るトラヒック制御システムの全体構成を示す図である。このトラヒック制御システムは、ＩＰ電話１から発信された発信呼を受け付ける加入者呼制御装置２と、加入者呼制御装置２で中継されたＩＰ電話１の発信呼を中継する第１の中継呼制御装置３と、第１の中継呼制御装置３で中継された発信呼を更に中継する第２の中継呼制御装置４と、第２の中継呼制御装置４で中継された発信呼を異なる事業者のＩＰ網に中継するゲートウェイ５と、加入者呼制御装置２と第１の中継呼制御装置３と第２の中継呼制御装置４とに対して特定の制御コードをそれぞれ通知するトラヒック監視制御システム６とを備えている。
【００２１】
最初に、加入者呼制御装置２、第１の中継呼制御装置３、ゲートウェイ５がそれぞれ備える機能構成について説明する。なお、第２の中継呼制御装置４の機能及び処理フローについては、第１の中継呼制御装置３と同様なので重複する説明は省略するものとする。
【００２２】
図２は、加入者呼制御装置の機能ブロックを示す図である。この加入者呼制御装置２は、記憶部２１と、判定部２２と、輻輳制御部２３と、設定部２４と、中継部２５とを備えている。
【００２３】
記憶部２１は、ＩＰ電話１からの発信呼を一時的に記憶する機能や、トラヒック監視制御システム６から通知された加入者呼制御装置用制御コード（第１の制御コードに相当）を記憶しておく機能を有している。
【００２４】
判定部２２は、記憶されているＩＰ電話１の発信呼を記憶部２１から読み出して、その発信呼の着番号が加入者呼制御装置用制御コードに一致しているか否かを比較判定すると共に、その発信呼が輻輳制御されていない（換言すれば、加入者呼制御装置２にとっての輻輳制御対象呼である）かを判定する機能を有している。
【００２５】
輻輳制御部２３は、判定部２２での判定の結果、発信呼の着番号が加入者呼制御装置用制御コードに一致し、かつ該発信呼が輻輳制御対象呼である場合に、この発信呼に対して輻輳制御を行う機能を有している。
【００２６】
設定部２４は、輻輳制御部２３により発信呼が輻輳制御された場合に、輻輳制御が実施済みであることを示す独自ヘッダや拡張ヘッダ（制御済みヘッダに相当）を発信呼のＳＩＰメッセージに追加する機能を有している。
【００２７】
中継部２５は、独自ヘッダや拡張ヘッダを追加した発信呼を第１の中継呼制御装置３又は他の加入者呼制御装置（図１において図示ぜす）に中継する機能や、ＩＰ電話１から発信された発信呼が加入者呼制御装置用制御コードに一致しない場合や、輻輳制御対象呼でない場合には、その発信呼に対して輻輳制御を行うことなく透過に第１の中継呼制御装置３又は他の加入者呼制御装置に中継する機能を有している。
【００２８】
図３は、第１の中継呼制御装置の機能ブロックを示す図である。この第１の中継呼制御装置３は、記憶部３１と、判定部３２と、比較部３３と、輻輳制御部３４と、中継部３５とを備えている。
【００２９】
記憶部３１は、トラヒック監視制御システム６から通知された第１の中継呼制御装置用制御コード（第２の制御コードに相当）を記憶しておく機能を有している。
【００３０】
判定部３２は、加入者呼制御装置２から中継されたＩＰ電話１の発信呼の着番号が第１の中継呼制御装置用制御コードに一致しているか否かを比較判定する機能を有している。また、その判定の結果、発信呼の着番号が第１の中継呼制御装置用制御コードに一致する場合に、発信呼のＳＩＰメッセージに独自ヘッダが追加されているか否かを判定する機能を有している。
【００３１】
比較部３３は、判定部３２での判定の結果、発信呼のＳＩＰメッセージに独自ヘッダが追加されている場合に、加入者呼制御装置用制御コードと第１の中継呼制御装置用制御コードとを比較する機能を有している。なお、比較する用いる加入者呼制御装置用制御コードについては、独自ヘッダに含まれている加入者呼制御装置用制御コードを用いることも可能であるし、加入者呼制御装置２や他の中継呼制御装置に対して通知された各制御コードを予めトラヒック監視制御システム６から取得し、記憶部３１に記憶しておいたものを用いることも可能である。
【００３２】
輻輳制御部３４は、判定部３２での判定の結果、発信呼のＳＩＰメッセージに独自ヘッダが追加されていない場合に、その発信呼に対して輻輳制御を行う機能を有している。また、比較部３３での比較の結果、加入者呼制御装置用制御コードが第１の中継呼制御装置用制御コードよりも短桁の場合には、加入者呼制御装置２で輻輳制御が行われていないものとして、発信呼に対して輻輳制御を行い、独自ヘッダに含まれている加入者呼制御装置用制御コードを第１の中継呼制御装置用制御コードに書き換える（上書きする）機能を有している。
【００３３】
中継部３５は、比較部３３での比較の結果、加入者呼制御装置用制御コードが第１の中継呼制御装置用制御コードよりも長桁又は同桁の場合には、加入者呼制御装置２で輻輳制御が行われているものとして、輻輳制御を行うことなく透過に第２の中継呼制御装置４又は他の加入者呼制御装置に中継する機能を有している。また、輻輳制御部３４により輻輳制御された発信呼を、第２の中継呼制御装置４又は他の加入者呼制御装置に中継する機能を有している。
【００３４】
ゲートウェイ５は、異なる事業者のＩＰ網の境界に設置されており、第２の中継呼制御装置４から中継された発信呼を他の事業者（図１に示す事業者Ｂ）のＩＰ網に送出する場合には、ＳＩＰメッセージ（Ｉｎｉｔｉａｌ−ＩＮＶＩＴＥ／ＭＥＳＳＡＧＥ信号）に追加設定されている独自ヘッダを削除する機能を有している。なお、このゲートウェイについては、例えば、ＮＧＮ（次世代ネットワーク）におけるＩＰＧＷ（ＩＰ  Ｇａｔｅｗａｙ）であって、ＩＳＣインタフェースを有するものを一例に挙げることができる。
【００３５】
続いて、加入者呼制御装置２及び第１の中継呼制御装置３の処理フローについて説明する。図４は、加入者呼制御装置の処理フローを示す図である。最初に、判定部２２が、ＩＰ電話１から発信された発信呼の着番号と加入者呼制御装置用制御コードとを比較判定すると共に、その発信呼が輻輳制御に遭遇しなかった通過呼（前述した輻輳制御対象呼）であるか否かを判定する（Ｓ１０１）。
【００３６】
Ｓ１０１において、発信呼の着番号が加入者呼制御装置用制御コードに一致し、かつ発信呼が輻輳制御対象呼である場合に、輻輳制御部２３が、その発信呼に対して輻輳制御を行う（Ｓ１０２）。
【００３７】
その後、設定部２４が、輻輳制御が実施済みであることを示す独自ヘッダ「Ｐ−ＮＴＴ−ＣＯＮＧ−ＣＴＬ」を発信呼のＳＩＰメッセージ（Ｉｎｉｔｉａｌ−ＩＮＶＩＴＥ／ＭＥＳＳＡＧＥ信号）に追加設定する（Ｓ１０３）。
【００３８】
最後に、中継部２５が、独自ヘッダ追加後の発信呼を第１の中継呼制御装置３に中継する（Ｓ１０４）。
【００３９】
なお、Ｓ１０１において、発信呼の着番号が加入者呼制御装置用制御コードに一致しない場合や、発信呼が輻輳制御対象呼でない場合、中継部２５は、その発信呼に対して輻輳制御を行うことなく透過に第１の中継呼制御装置３に中継する（Ｓ１０５）。
【００４０】
図５は、第１の中継呼制御装置の処理フローを示す図である。最初に、判定部３２が、加入者呼制御装置２から中継されたＩＰ電話１の発信呼の着番号と第１の中継呼制御装置用制御コードとを比較判定する（Ｓ２０１）。
【００４１】
Ｓ２０１において、発信呼の着番号が第１の中継呼制御装置用制御コードに一致する場合に、輻輳制御部２３が、発信呼のＳＩＰメッセージ（Ｉｎｉｔｉａｌ−ＩＮＶＩＴＥ／ＭＥＳＳＡＧＥ信号）に独自ヘッダ「Ｐ−ＮＴＴ−ＣＯＮＧ−ＣＴＬ」が追加設定されているか否かを判定する（Ｓ２０２）。
【００４２】
Ｓ２０２において、発信呼のＳＩＰメッセージに独自ヘッダが追加されている場合には、比較部３３が、その独自ヘッダに含まれている加入者呼制御装置用制御コードと第１の中継呼制御装置用制御コードとを比較する（Ｓ２０３）。
【００４３】
Ｓ２０３において、加入者呼制御装置用制御コードが第１の中継呼制御装置用制御コードよりも短桁の場合には、輻輳制御部３４が、加入者呼制御装置２で輻輳制御が行われていないものとして、発信呼に対して輻輳制御を行う（Ｓ２０４）。また、輻輳制御部３４は、Ｓ２０２において、発信呼のＳＩＰメッセージに独自ヘッダが追加されていない場合、輻輳制御が行われていないため、発信呼に対して輻輳制御を行う。
【００４４】
その後、輻輳制御部３４は、独自ヘッダに含まれている加入者呼制御装置用制御コードを第１の中継呼制御装置用制御コードに書き換える（Ｓ２０５）。
【００４５】
最後に、中継部３５が、制御コードが書き換えられた独自ヘッダを有する発信呼を第２の中継呼制御装置４又は他の加入者呼制御装置に中継する（Ｓ２０６）。
【００４６】
一方、Ｓ２０３において、加入者呼制御装置用制御コードが第１の中継呼制御装置用制御コードよりも長桁又は同桁の場合には、中継部３５が、加入者呼制御装置２で輻輳制御が行われているものとして、輻輳制御を行うことなく透過に第２の中継呼制御装置４又は他の加入者呼制御装置に中継する（Ｓ２０７）。
【００４７】
次に、第１の中継呼制御装置３において、発信呼を透過に中継する場合と、発信呼に対して輻輳制御を行った後に中継する場合の２つの実施例について説明する。
【実施例１】
【００４８】
実施例１では、第１の中継呼制御装置で透過する場合について説明する。図６は、実施例１におけるトラヒック制御システムの処理フローを説明するための図である。なお、同図に示すように、加入者呼制御装置２には、トラヒック監視制御システム６から加入者呼制御装置用制御コードとして「０４３２１１」が通知され、第１の中継呼制御装置３には、第１の中継呼制御装置用制御コードとして「０４３」が通知されているものとし、電話端末１ａからの発信呼は、加入者呼制御装置２において輻輳制御対象呼であるものとする。
【００４９】
まず、加入者呼制御装置２は、電話端末１ａから発信された発信呼を受信し、その発信呼の着番号の一部が加入者呼制御装置用制御コードと一致し、かつ輻輳制御対象呼であるため、受信した発信呼に対して輻輳制御を行い、「独自ヘッダ：０４３２１１」を独自ヘッダとして設定した後に、第１の中継呼制御装置３に中継する。このように独自ヘッダに加入者呼制御装置用制御コードを含める形式を採用することにより、どの呼制御装置で輻輳制御を行ったかを後位の呼制御装置で把握することが可能となる。
【００５０】
その後、第１の中継呼制御装置３は、加入者呼制御装置２で中継された発信呼を受信し、その発信呼の着番号の一部が加入者呼制御装置用制御コードと一致するため、発信呼の独自ヘッダに含まれている加入者呼制御装置用制御コード「０４３２１１」と第１の中継呼制御装置用制御コード「０４３」とを比較する。加入者呼制御装置用制御コードは第１の中継呼制御装置用制御コードよりも長桁であるため、輻輳制御の対象とすることなくそのまま通過させる。なお、輻輳制御を実施しなかったため、独自ヘッダの内容については「独自ヘッダ：０４３２１１」のままとして通過させる。
【実施例２】
【００５１】
実施例２では、第２の中継呼制御装置で輻輳制御を行う場合について説明する。図７は、実施例２におけるトラヒック制御システムの処理フローを説明するための図である。なお、同図に示すように、加入者呼制御装置２には、トラヒック監視制御システム６から加入者呼制御装置用制御コードとして「０４３」が通知され、第１の中継呼制御装置３には、第１の中継呼制御装置用制御コードとして「０４３２１１」が通知されているものとし、電話端末１ａからの発信呼は、加入者呼制御装置２において輻輳制御対象呼であるものとする。
【００５２】
まず、加入者呼制御装置２は、電話端末１ａから発信された発信呼を受信し、その発信呼の着番号の一部が加入者呼制御装置用制御コードと一致し、かつ輻輳制御対象呼であるため、受信した発信呼に対して輻輳制御を行い、「独自ヘッダ：０４３」を独自ヘッダとして設定した後に、第１の中継呼制御装置３に中継する。
【００５３】
その後、第１の中継呼制御装置３は、加入者呼制御装置２で中継された発信呼を受信し、その発信呼の着番号の一部が加入者呼制御装置用制御コードと一致するため、発信呼の独自ヘッダに含まれている加入者呼制御装置用制御コード「０４３」と第１の中継呼制御装置用制御コード「０４３２１１」とを比較する。加入者呼制御装置用制御コードは第１の中継呼制御装置用制御コードよりも短桁であるため、受信した発信呼に対して輻輳制御を行い、「独自ヘッダ：０４３」を「独自ヘッダ：０４３２１１」に書き換えた後に、第２の中継呼制御装置４に中継する。
【００５４】
各実施例では、電話端末の電話番号を加入者呼制御装置用制御コード及び第１の中継呼制御装置用制御コードに用いる場合を例に説明したが、メディア種別（音声や映像等）やメディアの方向性（双方向、単方向）、サービスに必要とされる要求帯域の上限値等を識別する識別コードを用いることも可能である。このような識別コードを用いることにより、二重制御の実施・不実施を細かく制御することが可能となる。具体的には、例えば、識別コードが音声及び映像のテレビ電話を示す場合には、ＩＰ端末からの発信呼を高速に中継するため二重制御の処理を規制し、ＶＯＤのような単方向の場合や、１Ｍｂｐｓ以上の要求帯域についても同様の規制を行うことが可能となる。
【００５５】
本実施の形態によれば、加入者呼制御装置２が、ＩＰ電話１から発信された発信呼に対して輻輳制御を行った後に、輻輳制御が実施済みであることを示す独自ヘッダを発信呼のＳＩＰメッセージに追加して、第１の中継呼制御装置３に中継し、第１の中継呼制御装置３が、加入者呼制御装置２から中継された発信呼のＳＩＰメッセージに独自ヘッダが追加されている場合には、輻輳制御を行うことなく発信呼を第２の中継呼制御装置４に透過に中継するので、ＩＰ網において同一輻輳に対する二重制御を防止することが可能となり、呼数密度分配以上の過規制の防止や、ＩＰ電話システムの信頼性の向上、障害耐性を向上を図ることが可能となる。
【００５６】
本実施の形態によれば、第１の中継呼制御装置３が、加入者呼制御装置２から中継された発信呼に対して輻輳制御を行った後に、加入者呼制御装置２で設定された独自ヘッダの加入者呼制御装置用制御コードを第１の中継呼制御装置用制御コードに書き換えるので、輻輳制御を実施した呼制御装置を容易に把握することが可能となる。
【符号の説明】
【００５７】
１…ＩＰ電話（ＩＰ端末）
１ａ…電話端末
２…加入者呼制御装置（第１の呼制御装置）
３…第１の中継呼制御装置（第２の呼制御装置）
４…第２の中継呼制御装置
５…ゲートウェイ
６…トラヒック監視制御システム
２１…記憶部
２２…判定部
２３…輻輳制御部
２４…設定部
２５…中継部
３１…記憶部
３２…判定部
３３…比較部
３４…輻輳制御部
３５…中継部
【図１】
2010252138.tif 000003
【図２】
2010252138.tif 000004
【図３】
2010252138.tif 000005
【図４】
2010252138.tif 000006
【図５】
2010252138.tif 000007
【図６】
2010252138.tif 000008
【図７】
2010252138.tif 000009